(57)【要約】【課題】排気温度をデータとして乾燥終了を判定する場合、乾燥動作パターンが複数設定されているときでも終了検知判定を精度よく行うことができ、衣類の状態によって誤判定するおそれもない洗濯乾燥機の運転制御方法を得る。【解決手段】洗濯兼脱水槽の上面側から該洗濯兼脱水槽内に乾燥行程時に温風を供給する温風供給手段とを具備し、前記乾燥行程時においてファン送風と洗濯兼脱水槽の回転と回転翼の回転との組み合わせによる複数の動作パターンが設定されている洗濯乾燥機において、乾燥終了を検知するための温度センサを設け、前記複数の動作パターンのうち最後のパターンの乾燥行程に切り替わったときに前記温度センサで排気温度を検出し、この排気温度を基準温度として設定し、その後に検出される排気温度が前記基準温度から一定値上昇したときに乾燥終了と判定する。【選択図】        図１
2004222762.tif 000002
【特許請求の範囲】
【請求項１】
外箱と、この外箱内に配設する水槽と、該水槽内に回転自在に配設され多数の脱水孔を穿設した洗濯兼脱水槽と、該洗濯兼脱水槽の上面側から該洗濯兼脱水槽内に乾燥行程時に温風を供給する温風供給手段とを具備し、前記乾燥行程時においてファン送風と洗濯兼脱水槽の回転と回転翼の回転との組み合わせによる複数の動作パターンが設定されている洗濯乾燥機において、乾燥終了を検知するための温度センサを設け、前記複数の動作パターンのうち最後のパターンの乾燥行程に切り替わったときに前記温度センサで排気温度を検出し、この排気温度を基準温度として設定し、その後に検出される排気温度が前記基準温度から一定値上昇したときに乾燥終了と判定することを特徴とする洗濯乾燥機の運転制御方法。
【請求項２】
乾燥終了の判定後、規定時間運転を継続することを特徴とする請求項１記載の洗濯乾燥機の運転制御方法。
【請求項３】
設定する基準温度は、最後のパターンの乾燥行程開始時から一定時間の間、初期測定値が所定値より小さい場合は、基準となる所定値を小さい値に入れ替えることを特徴とする請求項１または請求項２に記載の洗濯乾燥機。
【請求項４】
乾燥終了判定データである排気温度は、移動平均により算出したデータとすることを特徴とする請求項１から請求項３のいずれかに記載の洗濯乾燥機。
【発明の詳細な説明】
【０００１】
【発明の属する技術分野】
本発明は、洗濯物を洗濯兼脱水槽内で脱水後、乾燥させることのできる洗濯乾燥機の運転制御方法に関するものである。
【０００２】
【従来の技術】
脱水行程終了後の乾燥行程で、洗濯兼脱水槽内に加熱装置および送風機より発生する温風を送り、乾燥行程の途中で洗濯兼脱水槽や回転翼を回転させて洗濯物をほぐしながら洗濯物を乾かす洗濯乾燥機がある。
【０００３】
これは、例えば、外箱と、この外箱内に支持された外槽と、この外槽内に回転自在に配置され上面を開口するとともに周壁面に脱水孔を形成した洗濯脱水槽と、この洗濯脱水槽の内底部に配設された回転翼と、乾燥行程時に前記洗濯脱水槽内に温風を供給する温風供給手段とを備え、前記温風供給手段からの温風を前記洗濯脱水槽の上面開口から直接ないしは外槽の上部から前記脱水孔を経て供給するものである。
【０００４】
かかる構成の洗濯乾燥機では、洗い行程、すすぎ行程、脱水行程と洗濯運転が自動的に進行し、脱水行程終了後に乾燥工程に移行すると、この乾燥行程では、温風発生装置が作動して温風が発生し、この温風は洗濯脱水槽内に流れ込む。そして、洗濯脱水槽内底面にある回転翼上面に置かれる水分を含んだ洗濯物と接触して水分を気化させる。洗濯物の水分を含んで湿度の高くなった温風は、洗濯脱水槽の上方へと案内され、その上面開口から排気孔を経て外箱外に排気される。
【０００５】
以上の動作を所定時間実施して洗濯物を乾かす乾燥行程を行う（例えば特許文献１参照）。
【０００６】
【特許文献１】
特開平１０−２１６３９６号公報
【０００７】
【発明が解決しようとする課題】
前記従来例のように乾燥行程の終了のタイミングを予め設定されている時間がタイムアップした時点とするものでは、洗濯物の種類などによって異なる乾燥度に対処することが困難で、過乾燥したり生乾きのおそれもある。そこで、洗濯兼脱水槽からの排気温度をデータとして乾燥終了を判定することが考えられるが、この場合、乾燥行程において例えば洗濯兼脱水槽を回転させる、回転翼のみを回転させるなど、動作パターンが複数設定されているときは、異なる種類の動作パターンでは排気温度の変化のパターンも異なるため、終了検知の判定がしづらく、精度のよくないものであった。また、測定される排気温度も衣類の状態などによってバラツキがあるため、誤判定になりやすかった。
【０００８】
本発明の目的は前記従来例の不都合を解消し、排気温度をデータとして乾燥終了を判定する場合、乾燥動作パターンが複数設定されているときでも終了検知判定を精度よく行うことができ、衣類の状態によって誤判定するおそれもない洗濯乾燥機の運転制御方法を提供することにある。
【０００９】
【課題を解決するための手段】
本発明は前記目的を達成するため、外箱と、この外箱内に配設する水槽と、該水槽内に回転自在に配設され多数の脱水孔を穿設した洗濯兼脱水槽と、該洗濯兼脱水槽の上面側から該洗濯兼脱水槽内に乾燥行程時に温風を供給する温風供給手段とを具備し、前記乾燥行程時においてファン送風と洗濯兼脱水槽の回転と回転翼の回転との組み合わせによる複数の動作パターンが設定されている洗濯乾燥機において、乾燥終了を検知するための温度センサを設け、前記複数の動作パターンのうち最後のパターンの乾燥行程に切り替わったときに前記温度センサで排気温度を検出し、この排気温度を基準温度として設定し、その後に検出される排気温度が前記基準温度から一定値上昇したときに乾燥終了と判定する。
【００１０】
これにより、乾燥終了と判定される基準温度は、最後のパターンの乾燥行程で検出された排気温度が設定されることになるから、当該乾燥運転の動作パターンや衣類の状態に適した温度が乾燥終了判定データとなる基準温度として設定され、精度よく乾燥終了の判定が行える。
【００１１】
【発明の実施の形態】
以下、図面について本発明の実施の形態を詳細に説明する。図１は本発明の運転制御方法の実施形態を示す動作行程図、図２は本発明が実施される洗濯乾燥機の全体説明図で、洗濯乾燥機の全体構成から説明すると、外箱１内に水槽２を搖動自在に配設し、該水槽２内に底部に回転翼３を配設するとともに周壁に多数の脱水孔５を穿設した洗濯兼脱水槽４を設けた。
【００１２】
図中６は洗濯兼脱水槽４の上部に取り付けたバランサ、７は洗濯兼脱水槽４や回転翼３を回転させるためのモータを示す。また、前記外箱１の上部の開口にフタ８を備えたトップパネル９を取り付ける。
【００１３】
かかる構成に加えて、洗濯兼脱水槽４内の衣類を乾燥させるための手段を設ける。温風の供給手段としては、外箱１の側部にフィルター１０を備えた吸気口１１を設け、該吸気口１１の下流側に位置させて外箱１内で水槽２との間にダクト１４を設け、該ダクト１４内に送風ファン１２および加熱手段としてのヒータ１３を順次配設した。図中１５は洗濯兼脱水槽４内に霧状の水を供給するミストノズルを示す。
【００１４】
温風の排出手段としては、水槽２の上部開口に内フタ１６を設け、該内フタ１６にフィルター１７を備えた排出口１８を形成する。そして、該排出口１８の上方位置でトップパネル９に排気口１９を設ける。
【００１５】
そして、吸気温度センサ２０を前記フィルター１０と送風ファン１２との間に設け、排気温度センサ２１を水槽２の上部に取り付けられる水槽カバー２ａの下面に取り付ける。
【００１６】
かかる洗濯乾燥機において、洗濯行程の次に行う乾燥行程は、例えば、図１の行程図に示すように、異なる種類の乾燥動作パターンにより第１行程から第３行程に分かれ、例えば衣類の重量が４、５Ｋｇの場合、第１行程では、加熱していない空気を送風する送風エコ乾燥行程であり、洗濯兼脱水槽４を回転しながらヒータ１３には通電せず、送風ファン１２のみを動作させて洗濯兼脱水槽４内に送風し、さらに脱水する。次いで、同様にヒータ１３がオフの状態で、回転翼３のみを回転して洗濯兼脱水槽４の壁面にへばりついた衣類を掻き落とす。
【００１７】
第２行程は、洗濯兼脱水槽４を回転させながら、ヒータ１３に通電して温められた温風を送風ファン１２で洗濯兼脱水槽４内に吹き出し、衣類に当てて乾燥させる槽回転乾燥を行う。この場合、洗濯兼脱水槽４の回転数を最初の段階では例えば３００ｒｐｍの高速回転で１分間回転させ、洗濯兼脱水槽４内に収納されている衣類を広げて、洗濯兼脱水槽４の中心に孔を開ける。ここで、３００ｒｐｍの高速回転を１分間と短時間に設定したのは、それ以上の時間行うと衣類が洗濯兼脱水槽４内で外側に偏って押しつぶされた状態になるためである。
【００１８】
次の段階では１５０ｒｐｍの低速回転で１４分間の平板な回転を行い、衣類を乾燥させる。そして、最後に回転翼３のみを７往復回転させて、洗濯兼脱水槽４内で衣類を入れ替える。かかる動作を２回繰り返す。
【００１９】
続く第３行程では、回転翼３を回転させて攪拌乾燥を行う。温風を供給しながら回転翼３を往復回転させながら一定時間乾燥運転を行う。その後、衣類を小刻みに動かし、ほぐしてアンバランスを整え、最後に、３００ｒｐｍの高速回転で洗濯兼脱水槽４を１分間回転させ、衣類を洗濯兼脱水槽４の中央から広げて衣類が絡まないようにする。これを乾燥終了まで繰り返す。
【００２０】
そして、最後に仕上げとして回転翼３を５往復回転させて衣類のほぐし乾燥を行う。
【００２１】
本発明は、前記第２行程から第３行程の乾燥動作パターンに移行した段階で、排気温度センサ２１で洗濯兼脱水槽４から排出される温風の温度を検出し、この排気温度を乾燥終了と判定するための基準温度として設定する。そして、その後に検出される排気温度が前記基準温度から一定値上昇したときに乾燥終了と判定する。
【００２２】
第２行程から最後の行程である第３行程の乾燥動作パターンに移行した段階で排気温度センサ２１で検出される排気温度の変化の態様は、動作パターンによって異なる。すなわち、本実施形態のように第２行程の最後に攪拌を行うことで、衣類がひっくり返り、濡れた面が表になると、第３行程の最初ではこの濡れた面が蒸発している状態となり、この状態の温度が検出されるから、第３行程の最初の温度の方が第２行程よりも低くなる。
【００２３】
よって、乾燥終了を判定するための基準温度は、一律に高く設定するのではなく、乾燥動作パターンに則したものとして、最後の動作パターンに移行したときの排気温度を基準温度として設定し、その後の排気温度がこの基準温度から一定値上昇したときに乾燥終了と判定する。
【００２４】
このように、第３行程の最初に設定された基準温度から排気温度が一定値上昇したときに乾燥終了と判定し、その後、さらに規定時間運転を継続して、温風を供給しながら回転翼３が回転して衣類を攪拌する。これにより、衣類を十分にほぐすことができる。
【００２５】
また、排気温度をもとにして設定される基準温度は、最後の動作パターンの乾燥行程である第３行程の開始時から一定時間の間、初期測定値が所定値より小さい場合は、基準となる所定値を小さい値に入れ替える。これにより、高温の温風で乾燥することを防いで、皺の発生や過乾燥を防げる。
【００２６】
さらに、乾燥終了判定データである排気温度は、移動平均により算出したデータとすることにより、攪拌動作によって洗濯兼脱水槽４内での衣類が入れ替えられ、よって、検出される排気温度にバラツキがある場合、バラツキのある温度全てが検出されてその平均化された温度が乾燥終了判定データとされる。
【００２７】
これにより、衣類の状態によって検出される排気温度にバラツキがあっても、精度よく乾燥終了判定を行うことができ、誤判定を防げる。
【００２８】
【発明の効果】
以上述べたように本発明の洗濯乾燥機の運転制御方法は、外箱と、この外箱内に配設する水槽と、該水槽内に回転自在に配設され多数の脱水孔を穿設した洗濯兼脱水槽と、該洗濯兼脱水槽の上面側から該洗濯兼脱水槽内に乾燥行程時に温風を供給する温風供給手段とを具備し、前記乾燥行程時においてファン送風と洗濯兼脱水槽の回転と回転翼の回転との組み合わせによる複数の動作パターンが設定されている洗濯乾燥機において、乾燥終了を検知するための温度センサを設け、前記複数の動作パターンのうち最後のパターンの乾燥行程に切り替わったときに前記温度センサで排気温度を検出し、この排気温度を基準温度として設定し、その後に検出される排気温度が前記基準温度から一定値上昇したときに乾燥終了と判定するから、排気温度をデータとして乾燥終了を判定する場合、乾燥動作パターンが複数設定されて、乾燥動作パターンによって温度変化の仕方が異なる時でも終了検知判定を精度よく行うことができ、衣類の状態によって誤判定するおそれもないものである。
【図面の簡単な説明】
【図１】本発明の運転制御方法が実施される洗濯乾燥機による乾燥行程の動作パターンを示す説明図である。
【図２】本発明の運転制御方法が実施される洗濯乾燥機の説明図である。
【符号の説明】
１…外箱            ２…水槽            ２ａ…水槽カバー
３…回転翼          ４…洗濯兼脱水槽    ５…脱水孔
６…バランサ        ７…モータ          ８…フタ
９…トップパネル    １０…フィルター    １１…吸気口
１２…送風ファン    １３…ヒータ        １４…ダクト
１５…ミストノズル  １６…内フタ        １７…フィルター
１８…排出口        １９…排気口        ２０…吸気温度センサ
２１…排気温度センサ
【図１】
2004222762.tif 000003
【図２】
2004222762.tif 000004